(57)【要約】【課題】メイン画面の視聴性が低下することなく、サブ画面の音量を調整することが可能な動画再生装置を提供する。【解決手段】メイン画面とサブ画面を同時に再生する際にサブ画面に対して画面の透明度を設定する手段と、設定されたサブ画面の透明度に応じてメイン画面における音声とサブ画面における音声との音量比を調整する手段とを具備する。そうすることで、例えば、サブ画面の音量を大きくする場合でもメイン画面がサブ画面に隠されてしまうことがなく、メイン画面の視聴性が低下することがない。【選択図】図１
2009055541.tif 000002
【特許請求の範囲】
【請求項１】
メイン画面にサブ画面を重ねて、複数の動画を同時に再生する動画再生装置において、
前記メイン画面と前記サブ画面を同時に再生する際に前記サブ画面に対して画面の透明度を設定する手段と、
前記設定手段により設定された前記サブ画面の透明度に応じて前記メイン画面における音量と前記サブ画面における音量との音量比を調整する手段とを備えたことを特徴とする動画再生装置。
【請求項２】
前記調整手段は、前記サブ画面の透明度が大きいほど前記メイン画面に対する前記サブ画面の音量比を小さく調整することを特徴とする請求項１に記載の動画再生装置。
【発明の詳細な説明】
【技術分野】
【０００１】
本発明は、メイン画面上にサブ画面を重ねて複数の動画を同時に再生するピクチャーインピクチャー機能を有する動画再生装置、特に、映画等のコンテンツの動画再生に好適な動画再生装置に関するものである。
【背景技術】
【０００２】
従来、Ｂｌｕ−ｒａｙディスクやデジタルテレビ放送等に代表されるデジタル動画を表示する装置には、ピクチャーインピクチャー表示のようなメイン画面とサブ画面を有する再生機能がある。そして複数の動画像を同一画面上に同時に表示することが可能である。また、Ｂｌｕ−ｒａｙディスクでは、ピクチャーインピクチャーをプログラマブルに操作することが可能である。デジタルテレビ放送では、ピクチャーインピクチャー機能を用いて複数のチャンネルの情報を同時に表示することが可能である。
【０００３】
更に、テレビ放送や映画視聴と同時にインターネットに接続する機能があれば、ピクチャーインピクチャー機能を用いてテレビ放送もしくは映画視聴の画面とインターネットの為のＷＷＷブラウザ表示画面を同一画面に表示することも実現できる。
【０００４】
しかしながら、通常のピクチャーインピクチャー表示では、複数の画面の音声を特に何も考慮せずに単純に合成して同時再生するため、再生音が聞き取りにくいことがある。この課題に対し、例えば、特開平８−８７３９７号公報には、テレビ会議システムにおいて複数の画面を同時に表示する場合、各画面の面積に応じて音量を調整することが開示されている（特許文献１）。
【特許文献１】特開平８−８７３９７号公報
【発明の開示】
【発明が解決しようとする課題】
【０００５】
特許文献１の方法では、画面を複数の領域に分割して各領域の大きさに応じて再生音量を調整することを中心に改善している。同文献の方法はテレビ会議システムへの適用を目的とするものであり、映画等のコンテンツの再生や多くの情報を表示するＷＷＷブラウザ等に用いる場合には問題が生じる。
【０００６】
例えば、映画等のコンテンツ動画をメイン画面に表示し、ピクチャーインピクチャー表示によるサブ画面に映画に付随する情報を表示する場合には、サブ画面の音量を上げる為にサブ画面の面積を大きくする。すると、メイン画面の一部の情報がサブ画面の背後に隠されることになり、メイン画面上で再生されているコンテンツの表示面積が低下し、映画等のコンテンツの視聴性が低下する。
【０００７】
つまり、メイン画面のコンテンツの視聴性を低下させずにサブ画面の情報の閲覧を可能とするサブ画面の音声調整機構が、テレビ会議システム等と違い映画等のコンテンツ再生等の視聴システムでは必要になる。このように分割された画像の表示面積に応じてのみ音量調整を行う方法では、画面同士が重なることによってコンテンツの視聴性が低下するという問題があった。
【０００８】
本発明の目的は、メイン画面の視聴性が低下することなく、サブ画面の音量を調整することが可能な動画再生装置を提供することにある。
【課題を解決するための手段】
【０００９】
本発明は、メイン画面とサブ画面を同時に再生する際にサブ画面に対して画面の透明度を設定し、設定されたサブ画面の透明度に応じてメイン画面における音量とサブ画面における音量との音量比を調整する。そのため、例えば、サブ画面の音量を大きくする場合でもメイン画面がサブ画面に隠されてしまうことがない。
【発明の効果】
【００１０】
本発明によれば、サブ画面の透明度に応じてメイン画面とサブ画面の音量比を調整することにより、メイン画面のサブ画面との重なりによる視聴性の低下を招くことなく、サブ画面の音量を調整することが可能となる。
【発明を実施するための最良の形態】
【００１１】
次に、発明を実施するための最良の形態を図面を参照して詳細に説明する。図１は本発明に係る動画再生装置の一実施形態を示すブロック図である。アンテナ１０１は屋外において所定の方向に向けて配置され、例えば、ＢＳ（Ｂｒｏａｄｃａｓｔｉｎｇ  Ｓａｔｅｌｌｉｔｅ）から送られてくるデジタル放送波を受信する。
【００１２】
このアンテナ１０１は一般に周波数変換器を備えており、受信／周波数変換した信号をチューナ装置１０２に供給する。チューナ装置１０２は受信した高周波デジタル変調信号から特定周波数の信号を取り出す。即ち、デジタル放送の複数のトランスポンダの中から一つを選択する処理を行う。
【００１３】
また、チューナ装置１０２は復調回路、逆インタリーブ回路、誤り訂正回路等を備えることにより、選択したデジタル変調信号を復調してトランスポートストリームを出力する。また、光ディスク１２０による映像を視聴することも可能である。
【００１４】
動画再生装置１３０はディスク装置１２１（復調回路、誤り補正回路等を含む）を備えており、光ディスク１２０に記録されているデータを読み込むことが可能である。ディスク装置１２１から読み込まれたデータは中央演算処理部（ＭＰＵ）１１７に送られ、Ｂｌｕ−ｒａｙディスク規格等に則ってデータの解析を行い、トランスポートストリームをデマルチプレクサ（ＤＥＭＵＸ）１０３に出力する。
【００１５】
デマルチプレクサ１０３はチューナ装置１０２やディスク装置１２１から受け取ったトランスポートストリームをＭＰＥＧ２のビデオストリーム、オーディオストリーム、ＰＳＩ／ＳＩ及びその他の情報に分離する。ＰＳＩ／ＳＩ：（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）。デマルチプレクサ１０３はビデオストリームとオーディオストリームをＡＶデコーダ１０７に供給し、ＰＳＩ／ＳＩ等の他の情報を中央演算処理部１１７に供給する。
【００１６】
トランスポートストリームには複数のチャンネルが多重化されている。その中から任意のチャンネルを選択するための処理は、ＰＳＩ／ＳＩから任意のチャンネルがトランスポートストリーム中でどのパケットＩＤで多重化されているかといったデータを取り出すことで可能となる。また、トランスポートストリームの選定（トランスポンダの選定）もＰＳＩ／ＳＩの情報に基づいて行うことができる。
【００１７】
録画再生処理部１０４は、デマルチプレクサ１０３から出力されたトランスポートストリームを内蔵ハードディスクドライブ（ＨＤＤ）１０６に書き込んだり、ハードディスクドライブ１０６からトランスポートストリームを読み出す。ＡＶデコーダ１０７はビデオストリームに対してデコードを行うビデオデコーダ及びオーディオストリームに対してデコードを行うオーディオデコーダを備えている。
【００１８】
ビデオデコーダは入力された符号化信号を復号して量子化係数や動きベクトルを求め、逆ＤＣＴ変換や動きベクトルに基づく動き補償制御等を行う。オーディオデコーダは入力さた符号化信号を復号して音声データを生成する。デコードにより生成された映像データは映像処理部１０８に出力され、音声データは音声処理部１０９に出力される。
【００１９】
映像処理部１０８はＡＶデコーダ１０７から映像データを受け取ってＤ／Ａ変換を行い、例えば、ＮＴＳＣフォーマットのコンポジット信号に変換する。音声信号処理部１０９はＡＶデコーダ１０７から出力された音声データを受け取ってＤ／Ａ変換を行い、例えば、右（Ｒ）音のアナログ信号及び左（Ｌ）音のアナログ信号を生成する。
【００２０】
映像出力部１１０及び音声出力部１１１は出力抵抗や増幅器等を備えている。ＡＶ出力部１１２には出力部（左右音声出力端子や映像出力端子のセット等）が設けられており、図示しないディスプレイやスピーカを有するモニタ１１４が映像／音声コード１１３によって接続されている。
【００２１】
リモコン送信機１１５は動画再生装置１３０に指令を送出する。このリモコン送信機１１５に設けられたキーを操作すると、そのキーに対応した指令を意味する信号光（リモコン信号）がリモコン送信機１１５の発光部から送出される。リモコン受光器１１６はリモコン送信機１１５のキーが操作された時に出射する信号光を受光し、これを電気信号に変換して中央演算処理部（ＭＰＵ）１１７に供給する。
【００２２】
記憶部１１８（例えば、フラッシュＲＯＭやＥＥＰＲＯＭ等）には、処理上必要なデータが保持されており、後述の画像の透明度と音量比テーブル等の情報が記録されている。本実施形態では、動画再生装置１３０はモニタ１１４と別機器としているが、モニタ１１４は動画再生装置を兼ねても良い。
【００２３】
図２は通常のモニタ１１４の表示状態を示す。動画再生装置１３０によって出力される映像がモニタ１１４に表示されている。通常、モニタ１１４の画面に対してメイン画面３０１の１画面が表示され、動画の表示を行う。動画再生装置１３０を利用するユーザーはリモコン送信機１１５を使い、ピクチャーインピクチャー表示を行うための操作信号を送信することで多画面表示を行うことが可能である。即ち、メイン画面にサブ画面を重ねて複数の動画を同時に再生することが可能となる。
【００２４】
図３はピクチャーインピクチャーの表示状態を示す。モニタ１１４に動画再生装置１３０によって合成されたピクチャーインピクチャー画面が表示されている。ピクチャーインピクチャー機能はモニタ１１４の画面の最も大きい面積で表示するメイン画面３０１に対してサブ画面３０２を重ねて同時に表示する。
【００２５】
このように表示領域をメイン画面３０１とサブ画面３０２に分けることで、ユーザーは２つ以上の動画を同時に表示することが可能である。例えば、インターネット、デジタル放送の受信動画、Ｂｌｕ−ｒａｙディスクによる動画等を同時に表示することが可能である。
【００２６】
また、音声出力はメイン画面とサブ画面のそれぞれの動画像のオーディオストリームが１つの出力に合成され、スピーカから再生される。（場合によっては、音響効果のために５．１チャンネルや７．１チャンネルに分化される）。尚、図３では後述するサブ画面への透明度の設定は、特に設定されていない。そのため、サブ画面下のメイン画面は、完全に隠されて表示されている。
【００２７】
図４はサブ画面に透明度を設定した場合のピクチャーインピクチャーの表示状態を示す。モニタ１１４のメイン画面３０１上に２つのサブ画面３０２−１及び３０２−２が表示されている。通常、透明度が設定されていない場合のピクチャーインピクチャー表示では図３に示すようにサブ画面の下のメイン画面の表示は隠されてしまう。
【００２８】
この状態だと、ユーザーはサブ画面下のメイン画面に表示される動画情報を見ることが出来ない。図４の例では、各サブ画面に透明度が与えられており、サブ画面下のメイン画面の情報に関してもユーザーは視聴することが可能になる。即ち、図４の例では、サブ画面３０１−１とサブ画面３０１−２に透明度が設定され、各々のサブ画面は設定された透明度で表示されている。なお、図４ではサブ画面に透明度が設定されているため、サブ画面下のメイン画面が透けて見えている状態を示す。
【００２９】
サブ画面の透明度とは、サブ画面を表示する際の画面の透明度をいう。本実施形態では、透明度を０％〜１００％として定義し、透明度が０％の場合は完全にサブ画面によってメイン画面が隠されている状態をいう（図３で示す状態）。透明度が１００％の場合は完全にサブ画面が透明となり、サブ画面が表示されない状態をいう。
【００３０】
また、本実施形態では、画像の合成と同様に音声出力に関してもサブ画面の透明度を考慮した音声合成を行う。音量の合成は以下のような音量比を計算することで出力音声の大きさを調整する。
【００３１】
ＡｕｄｉｏＯｕｔＲａｔｅ＝ＡｌｆａＦｕｎｃ（ＡｌｆａＲａｔｅ）  …式（１）
ここで、ＡｕｄｉｏＯｕｔＲａｔｅ＝音量比
ＡｌｆａＲａｔｅ＝サブ画面の透明度
ＡｌｆａＦｕｎｃ（）＝サブ画面の透明度と音量比テーブルである。
【００３２】
この音量比は他の音声との混合を行う際に使用する音声増幅割合である。また、ＡｌｆａＦｕｎｃ関数は透明度に対して音声変化量を与える割合であり、音量比テーブルとして動画再生装置に保持されている。その際、サブ画面の透明度が大きいほどメイン画面に対するサブ画面の音量比を小さくし、サブ画面の透明度が小さいほどメイン画面に対するサブ画面の音量比を大きくするものである。
【００３３】
図５は音声出力部１１１の一例を示す。特に、図５は本実施形態に関係のある部分を抜粋して示す詳細図である。５０１はメイン画面の再生音声信号、５０２−１はサブ画面１の再生音声信号、５０２−２はサブ画面２の再生音声信号、…、５０２−Ｎはサブ画面Ｎの再生音声信号である。メイン画面の再生音声信号と各サブ画面の再生音声信号は並列に音声出力部１１１に送られてくる。
【００３４】
音声信号の出力量の決定は上述の通りサブ画面の透明度によって計算を行う。算出された音量比は音量比設定部５０５に設定され、各サブ画面の再生音声信号が設定された音量比に従って音量調整部５０６により音声出力量が調整される。調整された再生音声信号はミキサー５０７によって１つの音声出力信号に混合される。
【００３５】
最終的に、再生音声信号全体の音量出力調整（リモコン送信機１１５等でユーザーにより設定された表示画面全体の音量設定値）を音量設定部５０９に設定する。そして設定された値に従って音量調整部５１０によって全体の再生音声信号量が調整され、外部スピーカ５０８に出力される。
【００３６】
図６は本実施形態の音声出力制御に関する論理的構成を示す。また、保持しているテーブルを示す。これらの処理は中央演算処理部１１７によって処理するソフトウェアの論理構成である。図中６０１はサブ画面状態変更部である。サブ画面状態変更部６０１はリモコン送信機１１５によるユーザーのサブ画面変更指示によってサブ画面の状態の変更を行う処理部である。ユーザーはサブ画面に対して透明度の変更、大きさの変更、位置の変更、表示の有無の変更等を指示することが可能である。
【００３７】
音量比決定部６０２は式（１）によって実際に音量比を計算する処理部である。音量比決定部６０２は上述のＡｌｆａＦｕｎｃ関数で用いるサブ画面の透明度と音量比との関係をテーブル６０６として保持しており、透明度に対して音量比を調整する。
【００３８】
図８は本実施形態のサブ画面の透明度と音量出力値（音量比）との関係を示す音量比テーブルである。音量比とはメイン画面の音量に対するサブ画面の音量の音量比である。図８では透明度と音量が比例関係になっているが、必要に応じて非線形に変化するテーブルを用いてもよい。
【００３９】
音量比設定部６０３は音量比決定部６０２で決定した音量比を音量比設定部５０５に出力する処理である。また、リモコン送信機１１５によってユーザーが動画再生装置に対して設定した全体の音量の調整値は音量出力部６０４によって音量設定部５０９に出力され、出力音声全体の音量を調整する。
【００４０】
図７は音量比決定に関する処理の流れを示すフローチャートである。音量比の設定はピクチャーインピクチャー（サブ画面）の透明度の状態が変更された場合に処理を行う。この処理はＳ１００から開始する。
【００４１】
まず、Ｓ１０１においてリモコン送信機１１５からの指示を受け、ユーザーがピクチャーインピクチャーの（サブ画面）の表示状態を変更する。その場合のリモコン送信機１１５からのユーザーの指示は透明度の変更、サブ画面の大きさの変更、サブ画面の位置の変更、サブ画面の表示の有無の変更等である。
【００４２】
次に、Ｓ１０２でピクチャーインピクチャー（サブ画面）の現在状態の認識を行う。認識した現状のピクチャーインピクチャーの状態から、ユーザーの指示したピクチャーインピクチャー（サブ画面）の状態に変更するようにＳ１０３で実際にピクチャーインピクチャー（サブ画面）の状態を変更する。
【００４３】
次に、Ｓ１０４において式（１）が随時計算され、メイン画面に対するサブ画面の音量比を算出する（図８のテーブルに基づき透明度に応じて音量比を得る）。最終的にＳ１０６で図５の音量比設定部５０５に対して音量調整の指示を行う。このような処理を経てサブ画面の透明度に応じた音量を得ることが可能になる。
【００４４】
このように本実施形態では、サブ画面に対して透明度を設定し、透明度に応じてメイン画面の音量とサブ画面の音量との音量比を調整する。その際、サブ画面の透明度が大きいほどメイン画面に対するサブ画面の音量比を小さくする。そのため、メイン画面とサブ画面を同時に再生する際にメイン画面のサブ画面との重なりによる視聴性の低下を防ぎながら、サブ画面の音量を調整することが可能になる。
【図面の簡単な説明】
【００４５】
【図１】本発明に係る動画再生装置の一実施形態を示すブロック構成図である。
【図２】通常の再生状態を示す図である。
【図３】ピクチャーインピクチャーの表示状態を示す図である。
【図４】サブ画面に透明度を設定した場合のピクチャーインピクチャーの表示状態を示す図である。
【図５】音声出力部の一例を示すブロック図である。
【図６】音声出力制御に関する論理的構成を示す図である。
【図７】メイン画面とサブ画面の音量比を決定する処理を示すフローチャートである。
【図８】サブ画面の透明度と音量比との関係を保持するテーブルの一例を示す図である。
【符号の説明】
【００４６】
１０１  アンテナ
１０２  チューナ装置
１０３  デマルチプレクサ（ＤＥＭＵＸ）
１０４  録画再生処理部
１０６  ハードディスクドライブ（ＨＤＤ）
１０７  ＡＶデコーダ部
１０８  映像処理部
１０９  音声処理部
１１０  映像出力部
１１１  音声出力部
１１２  ＡＶ出力部
１１３  映像／音声コード
１１４  モニタ
１１５  リモコン送信機
１１６  リモコン受光器
１１７  中央演算処理部（ＭＰＵ）
１１８  記憶部
１２０  光ディスク
１２１  ディスク装置
１３０  動画再生装置
５０１  メイン画面の音声再生信号
５０２−１〜５０２−Ｎ  サブ画面の音声再生信号
５０５  音量比設定部
５０６、５１０  音声調整部
５０７  ミキサー
５０８  外部スピーカ
５０９  音量設定部
【図１】
2009055541.tif 000003
【図２】
2009055541.tif 000004
【図３】
2009055541.tif 000005
【図４】
2009055541.tif 000006
【図５】
2009055541.tif 000007
【図６】
2009055541.tif 000008
【図７】
2009055541.tif 000009
【図８】
2009055541.tif 000010